(57)【要約】【課題】スライド構造の携帯無線機において、上下回路基板間を接続する接続線を原因とするアンテナ性能の劣化を抑制することができる携帯無線機を提供する。【解決手段】下筐体２と、下筐体２内に設けられた第１の回路基板３と、第１の回路基板３上に構成された給電部４と、給電部４に電気的に接続されたアンテナ５と、上筐体６と、上筐体６内に設けられた第２の回路基板７と、第１の回路基板３と第２の回路基板７とを電気的に接続する接続線８と、を備え、第２の回路基板７に、接続線８と高周波的に結合するスリット部７１を設けた。これにより、接続線８を原因とするアンテナ５の性能劣化を抑制することができる。更に、スリット部７１と接続線８との結合状態を調整するスリット調整部１２を第２の回路基板７に設けることで、接続線８の形状を変更することなく、接続線８を原因とするアンテナ５の性能劣化を抑制することができる。【選択図】図１
2013106319.tif 000002
【特許請求の範囲】
【請求項１】
第１の筐体と、
前記第１の筐体内に設けられた第１の回路基板と、
前記第１の回路基板上に構成された給電部と、
前記給電部に電気的に接続されたアンテナと、
第２の筐体と、
前記第２の筐体内に設けられた第２の回路基板と、
前記第１の回路基板と前記第２の回路基板とを電気的に接続する接続線と、を備え、
前記接続線と高周波的に結合するスリット部を前記第２の回路基板に設けたことを特徴とする携帯無線機。
【請求項２】
前記スリット部は、前記接続線の少なくとも一部と筐体厚み方向において重なる程度の大きさを有することを特徴とする請求項１に記載の携帯無線機。
【請求項３】
更に、前記スリット部と前記接続線との結合状態を調整するスリット調整部を前記第２の回路基板に設けたことを特徴とする請求項１又は請求項２に記載の携帯無線機。
【請求項４】
前記スリット調整部は、リアクタンス素子により構成されていることを特徴とする請求項３に記載の携帯無線機。
【請求項５】
更に、前記第２の筐体に固定された金属性の第１のスライドレール及び第２のスライドレールと、前記第１の筐体に固定され、かつ前記第１のスライドレール及び前記第２のスライドレールそれぞれに対して摺動可能に構成された金属性の第１のスライドベース及び第２のスライドベースと、を備えたことを特徴とする請求項１乃至請求項４のいずれか一項に記載の携帯無線機。
【請求項６】
前記第１のスライドレール及び前記第２のスライドレールは前記第２の回路基板に対して導通していないことを特徴とする請求項５に記載の携帯無線機。
【発明の詳細な説明】
【技術分野】
【０００１】
本発明は、携帯電話等の携帯無線機に関し、特に上筐体と下筐体の２つの筐体からなり、一方の筐体に対して他方の筐体をスライドさせることで開閉する構造を持つスライド式の携帯無線機に関する。
【背景技術】
【０００２】
近年、携帯電話等の携帯無線機では、デザインや使用時の利便性から小型化及び薄型化が求められるとともに、使用周波数の広帯域化や通信性能の向上などが求められている。
【０００３】
携帯無線機の筐体構造は、上述したスライド構造の他、折畳み構造、ストレート構造の３種類に大別できる。スライド構造を持つ携帯無線機としては、例えば特許文献１〜４で開示されたものがある。折畳み構造の携帯無線機もそうであるが、スライド構造の携帯無線機は、上下２つの筐体で構成し、上筐体内に設けた回路基板と下筐体内に設けた回路基板とを接続線によって電気的に接続する構成を採る。
【先行技術文献】
【特許文献】
【０００４】
【特許文献１】特開２０１０−１５４５０７号公報
【特許文献２】特開２０１０−１６１７１５号公報
【特許文献３】特開２０１０−１５７８３３号公報
【特許文献４】特開２０１１−１７１９０７号公報
【発明の概要】
【発明が解決しようとする課題】
【０００５】
ところで、携帯無線機の小型化及び薄型化に伴い、上下回路基板間を接続する接続線を下筐体内に設けられたアンテナ素子から離すことが難しくなっており、アンテナ素子の近傍に接続線があるとアンテナ性能劣化を引き起こしてしまう。すなわち、筐体閉じ状態時に上下筐体が重なることによって、上下回路基板間を接続する接続線が折り返されて重なり、接続線上を流れる電流が折返し前後で逆相となり、接続線上の電流が打ち消しあうことにより、アンテナ性能の劣化が引き起こされる。なお、筐体開き時には接続線の折り返し部の重なりが少ない、または、ないため、接続線によるアンテナ性能の劣化は発生しない。
【０００６】
上述した筐体閉じ時における課題に対し、上記した特許文献４で開示された携帯通信端末装置では、アンテナ素子のアンテナ特性を劣化させる電磁気的結合関係にある、携帯通信端末装置を構成する複数の電気的な導通性を有する部品を同一平面上にくるように重ね合わせて構成するようにして、アンテナ効率を改善するとある。しかしながら、複数の電気的な導通性を有する部品の中には上述した接続線も含まれるが、この接続線によるアンテナ性能の劣化を改善するためにはその接続線の物理的な変更（接続点や形状等の変更）が必要となり、設計が複雑化するという課題が発生する。
【０００７】
本発明は、係る事情に鑑みてなされたものであり、スライド構造の携帯無線機において、上下回路基板間を接続する接続線を原因とするアンテナ性能の劣化を接続線の物理的な変更を加えることなく、抑制することができる携帯無線機を提供することを目的とする。
【課題を解決するための手段】
【０００８】
本発明の携帯無線機は、第１の筐体と、前記第１の筐体内に設けられた第１の回路基板と、前記第１の回路基板上に構成された給電部と、前記給電部に電気的に接続されたアンテナと、第２の筐体と、前記第２の筐体内に設けられた第２の回路基板と、前記第１の回路基板と前記第２の回路基板とを電気的に接続する接続線と、を備え、前記接続線と高周波的に結合するスリット部を前記第２の回路基板に設けたことを特徴とする。
【０００９】
上記構成によれば、第２の回路基板にスリット部を設けることで、折り返された接続線のうち第２の回路基板に近接する部分とスリット部を高周波的に結合させ、スリット部の大きさと接続線との距離に応じて、上筐体側の接続線の高周波的な電気長を変化させ、上筐体側の接続線の位相は変化し、下筐体側の接続線との逆相電流が低減し、折り返された他方の接続線部分に流れる電流との打ち消し量が低減され、第１の回路基板と第２の回路基板とを電気的に接続する接続線を原因とするアンテナの性能劣化を抑制することができる。
【００１０】
上記構成において、前記スリット部は、前記接続線の少なくとも一部と筐体厚み方向において重なる程度の大きさを有することを特徴とする。
【００１１】
上記構成において、更に、前記スリット部と前記接続線との結合状態を調整するスリット調整部を前記第２の回路基板に設けたことを特徴とする。
【００１２】
上記構成によれば、スリット調整部を設けることで、接続線の形状を変更することなく、接続線を原因とするアンテナの性能劣化を抑制することができる。
【００１３】
上記構成において、前記スリット調整部は、リアクタンス素子により構成されていることを特徴とする。
【００１４】
上記構成において、更に、前記第２の筐体に固定された金属性の第１のスライドレール及び第２のスライドレールと、前記第１の筐体に固定され、かつ前記第１のスライドレール及び前記第２のスライドレールそれぞれに対して摺動可能に構成された金属性の第１のスライドベース及び第２のスライドベースと、を備えたことを特徴とする。
【００１５】
上記構成によれば、第１，第２のスライドレールと第１，第２のスライドベースにより第１の筐体と第２の筐体を閉じ状態とスライド状態に設定することができる。本発明における構成では接続線に対して第１，第２のスライドレール及び第１，第２のスライドベースが接続線の平面部と重ならない構成となっており、このような構成においては、接続線に流れる電流が第１，第２のスライドレール及び第１，第２のスライドベースにより阻害されない為、接続線の折り返し部の影響が顕著となり、アンテナの性能劣化が発生しやすいことから、性能劣化を抑制することができるという効果がより顕著なものとなる。
【００１６】
上記構成において、前記第１のスライドレール及び前記第２のスライドレールは前記第２の回路基板に対して導通していないことを特徴とする。
【００１７】
上記構成によれば、第1の回路基板と第２の回路基板を電気的に接続する経路は、接続線のみとなり、より多くの電流が接続線に流れ、接続線の折り返し部の影響が顕著となる為、本発明の効果が高まる。
【発明の効果】
【００１８】
本発明によれば、スライド構造の携帯無線機において、第１の回路基板と第２の回路基板間を接続する接続線を原因とするアンテナの性能劣化を抑制することができる。
【図面の簡単な説明】
【００１９】
【図１】本発明の一実施の形態に係る携帯無線機の構成を模式的に示した図であり、（ａ）は閉じ状態における側面視図、（ｂ）は閉じ状態における上筐体側の正面視図
【図２】図１の携帯無線機の接続線を拡大した斜視図
【図３】図１の携帯無線機と従来の携帯無線機のアンテナ性能の変化量を比較した結果の一例を示す図
【図４】図１の携帯無線機の応用例である、筐体両端にスライドユニットがある構造を持つ携帯無線機の構成を模式的に示した図であり、（ａ）は閉じ状態における側面視図、（ｂ）は閉じ状態における上筐体側の正面視図
【図５】図４の携帯無線機における上筐体内の第２の回路基板と第１，第２のスライドレールの構成を模式的に示した図
【発明を実施するための形態】
【００２０】
以下、本発明を実施するための好適な実施の形態について、図面を参照して詳細に説明する。
【００２１】
図１は、本発明の一実施の形態に係る携帯無線機の構成を模式的に示した図であり、（ａ）は閉じ状態における側面視図、（ｂ）は閉じ状態における上筐体側の正面視図である。同図において、本実施の形態に係る携帯無線機１は、下筐体（第１の筐体）２と、下筐体２内に設けられた第１の回路基板３と、第１の回路基板３上に構成された給電部４と、給電部４に電気的に接続されたアンテナ５と、上筐体（第２の筐体）６と、上筐体６内に設けられた第２の回路基板７と、第１の回路基板３と第２の回路基板７とを電気的に接続する接続線８とを備える。
【００２２】
接続線８は、平面部を有する帯状に形成された所謂フレキシブルケーブルと呼ばれるものであり、第１の回路基板３の電気信号を第２の回路基板７に伝達し、第２の回路基板に搭載される回路を機能させる。携帯無線機１の機能に応じて、接続線８は複数の電気信号を伝達する必要があり、この電気信号の数に応じて、接続線８は大きくなり、フレキシブルケーブルの幅が太くなる。接続線８は、下筐体２と上筐体６の間隙において折り返されており、下筐体２内において、第１の回路基板３と折り返し方向に沿って図１に示すＺ方向である、厚み方向で面状に重なる。また、接続線８の折り返し部は、下筐体２に近い箇所と上筐体６に近い箇所において、互いに面状で重なっている。図２は、接続線８を拡大した斜視図である。接続線８の全長Ｌは、使用周波数が８３０ＭＨｚの場合、約λ／３（λ＝約３６１ｍｍ）の約１０９ｍｍとなる。
【００２３】
図１に戻り、第２の回路基板７にはスリット部７１が形成されている。スリット部７１は、図１の（ａ）に示すように、筐体閉じ状態のときに、接続線８の折返し部分に対向する位置に形成されている。また、スリット部７１は、図１の（ｂ）に示すように、接続線８の少なくとも一部と筐体厚み方向において重なる程度の大きさを有している。接続線８の折返し部分に対向する位置にスリット部７１を形成することで、スリット部７１が接続線８と高周波的に結合し、スリット部７１の大きさと接続線８との距離に応じて、上筐体６側の接続線８の高周波的な電気長を変化させ、上筐体６側の接続線８の位相は変化し、下筐体２側の接続線８との逆相電流が低減し、アンテナの性能劣化を抑制することが可能となる。図１の（ｂ）中において点線で示した部分が、スリット部７１と接続線８が高周波的に結合する結合部１１である。
【００２４】
また、第２の回路基板７には、スリット部７１と接続線８との結合状態を調整するスリット調整部１２が設けられている。このスリット調整部１２は、スリット部７１の外周部に挿入され、リアクタンス素子（例えばコイルやコンデンサ）により構成されている。スリット部７１に対してスリット調整部１２を設けることで、接続線８の形状を物理的に変更することなく、スリット部７１の高周波的な電気長を変化させ、接続線８の対向する折り返し部の逆相電流を低減し、アンテナの性能劣化を抑制することが可能となる。なお、スリット部７１と接続線８の結合状態を調整する他の手段として、スリット部７１の面積の変更や、スリット部７１と接続線８の間隔の変更も考えられる。
【００２５】
図３は、使用周波数を８３０ＭＨｚとした筐体閉じ状態において、従来の携帯無線機と、本実施の形態の携帯無線機１のアンテナ性能の変化量（ｄＢ）を比較した結果の一例を示す図である。特に、本実施の形態の携帯無線機１ではスリット調整部１２で結合状態を最適化しており、インダクタンスを大きくし、接続線８に起因する不要共振の周波数を８３０ＭＨｚより低い７７０ＭＨｚに移動させることにより筐体閉じ状態でのアンテナ性能が最大１．４ｄＢ改善されている。
【００２６】
このように本実施の形態の携帯無線機１によれば、下筐体２と、下筐体２内に設けられた第１の回路基板３と、第１の回路基板３上に構成された給電部４と、給電部４に電気的に接続されたアンテナ５と、上筐体６と、上筐体６内に設けられた第２の回路基板７と、第１の回路基板３と第２の回路基板７とを電気的に接続する接続線８と、を備え、第２の回路基板７に、接続線８と高周波的に結合するスリット部７１を設けたので、接続線８の対向する折り返し部の逆相電流を低減し、アンテナの性能劣化を抑制することができる。更に、スリット部７１と接続線８との結合状態を調整するスリット調整部１２を第２の回路基板７に設けたので、接続線８の形状を変更することなく、接続線８を原因とする不要共振によるアンテナの性能劣化を抑制することができる。
【００２７】
なお、本実施の形態では、下筐体２と上筐体６とをスライドさせる機構については述べなかったが、例えば筐体両端にスライドユニットがある構造の携帯無線機においては、スライドユニット（スライドレールとスライドベースから構成されるユニット）を原因とするアンテナの性能劣化も発生しやすい。このような構造の携帯無線機においては、本発明による効果がより顕著なものとなる。
【００２８】
図４は、筐体両端にスライドユニットがある構造を持つ携帯無線機の構成を模式的に示した図であり、（ａ）は閉じ状態における側面視図、（ｂ）は閉じ状態における上筐体側の正面視図である。なお、同図において前述した図１と共通する部分には同一の符号を付けている。同図に示す携帯無線機２０は、上筐体６に固定された金属性の第１のスライドレール２１及び第２のスライドレール２２と、下筐体２に固定され、かつ第１のスライドレール２１及び第２のスライドレール２２それぞれに対して摺動可能に構成された金属性の第１のスライドベース２３及び第２のスライドベース２４とを備える。第１のスライドレール２１と第１のスライドベース２３及び第２のスライドレール２２と第２のスライドベース２４は、それぞれスライドユニットを構成する。このような第１のスライドレール２１および第２のスライドレール２２と接続線８が重なっていない、かつ、第1のスライドベース２３および第２のスライドベース２４と接続線８が重なっていない構造の携帯無線機２０においては、アンテナ性能劣化原因となる接続線８に対してのみ対策を講じることが出来るので、本発明による効果がより顕著なものとなる。
【００２９】
図５は、図４の携帯無線機における上筐体内の第２の回路基板と第1，第２のスライドレールの構成を模式的に示した図である。この携帯無線機２０に対して防水機能を持たせる為に、上筐体６を防水構造とし、密閉を保っている。そのため、第１，第２のスライドレール２１，２２は第２の回路基板７に接続できない。また、携帯無線機２０を薄くする為に第１，第２のスライドレール２１，２２はＺ軸方向である厚み方向において第２の回路基板７と重ならない。
【産業上の利用可能性】
【００３０】
本発明は、スライド構造の携帯無線機において、上下回路基板間を接続する接続線を原因とするアンテナ性能の劣化を抑制することができるといった効果を有し、スライド構造の携帯電話等の携帯無線機への適用が可能である。
【符号の説明】
【００３１】
１，２０  携帯無線機
２  下筐体
３  第１の回路基板
４  給電部
５  アンテナ
６  上筐体
７  第１の回路基板
８  接続線
９  第１のコネクタ
１０  第２のコネクタ
１２  スリット調整部
２１  第１のスライドレール
２２  第２のスライドレール
２３  第１のスライドベース
２４  第２のスライドベース
７１  スリット部
【図１】
2013106319.tif 000003
【図２】
2013106319.tif 000004
【図３】
2013106319.tif 000005
【図４】
2013106319.tif 000006
【図５】
2013106319.tif 000007